(57)【要約】      （修正有）【課題】装置筐体内で被記録媒体を搬送し、該被記録媒体に画像を記録する縦置き型のインクジェット記録装置において、カートリッジ装着部等の構成部材を効率よく配置して、装置の小型化・薄型化を実現できる手段の提供。【解決手段】複合機１は、扁平薄箱状であって、その厚みの延びる方向を縦方向として設置される縦置き型のプリンタ筐体２０と、プリンタ筐体２０内に形成された搬送路に沿って記録用紙を搬送する搬送機構と、搬送路において記録用紙にインクを吐出しながら走査される記録ヘッドと、記録ヘッドに管路を通じて供給するインクを貯蔵するインクカートリッジと、プリンタ筐体２０の側面に、インクカートリッジを側方へ抜き差し可能に設けられたカートリッジ装着部６とを具備する。【選択図】  図６
2006205655.tif 000002
【特許請求の範囲】
【請求項１】
扁平薄箱状であって、その厚みの延びる方向を縦方向として設置される縦置き型の装置筐体と、
上記装置筐体内に形成された搬送路に沿って被記録媒体を搬送する搬送機構と、
上記搬送路において被記録媒体にインクを吐出しながら走査される記録ヘッドと、
上記記録ヘッドに管路を通じて供給するインクを貯蔵するインクカートリッジと、
上記装置筐体の側面に、上記インクカートリッジを側方へ抜き差し可能に設けられたカートリッジ装着部とを具備してなるものであるインクジェット記録装置。
【請求項２】
上記カートリッジ装着部は、少なくとも２色以上のインクカートリッジをそれぞれ装着可能に縦方向に列設されたものである請求項１に記載のインクジェット記録装置。
【請求項３】
上記カートリッジ装着部は、上記装置筐体の右側面又は左側面のいずれか一方に設けられたものである請求項１又は２に記載のインクジェット記録装置。
【請求項４】
上記カートリッジ装着部は、装着すべき各インクカートリッジに貯蔵されたインク色が最も淡いものを最も上側として、インク色が濃くなる順に順次下側へ配置されたものである請求項２又は３に記載のインクジェット記録装置。
【請求項５】
上記カートリッジ装着部は、上記記録ヘッドより上側に配置されたものである請求項１から４のいずれかに記載のインクジェット記録装置。
【請求項６】
上記カートリッジ装着部は、外部記録メディアを装着するためのメディア装着部より下側に配置されたものである請求項１から５のいずれかに記載のインクジェット記録装置。
【請求項７】
上記カートリッジ装着部と上記メディア装着部とは、上記装置筐体の同一側面に配置されたものである請求項６に記載のインクジェット記録装置。
【請求項８】
上記装置筐体の正面側に画像読取りを行うスキャナ部が配設されたものである請求項１から７のいずれかに記載のインクジェット記録装置。
【発明の詳細な説明】
【技術分野】
【０００１】
本発明は、装置筐体内で被記録媒体を搬送し、該被記録媒体に画像を記録するインクジェット記録装置に関するものである。
【背景技術】
【０００２】
従来より、装置筐体内で被記録媒体を搬送して画像記録を行うインクジェット記録装置として、多機能装置（ＭＦＤ：Multi Function Device）と呼ばれるものが知られている。図７は、従来のインクジェット記録装置の外観構成を示すものであるが、図に示すように、インクジェット記録装置９０は、下部にプリンタ部９１を、上部にスキャナ部９２を一体的に備えた多機能装置であり、プリンタ部９１は、主に不図示のコンピュータと接続されて、該コンピュータから送信された画像データや文書データに基づいて、記録用紙に画像や文書を記録するものであり、スキャナ部９２は、各種原稿の画像データを読み取って画像データに変換し、該画像データをコンピュータ等に出力するものである。
【０００３】
図に示すように、プリンタ部９１は、正面に開口９３が形成されており、該開口９３に露出するようにして給紙トレイ９４及び排紙トレイ９５が上下２段に設けられている。プリンタ部９１の内部には、該給紙トレイ９４と排紙トレイ９５とを連続させるようにして横向き略Ｕ字状の搬送路が形成されており、該搬送路中にインクジェット記録ヘッドを搬送路幅方向に走査させてインク滴を吐出させる記録ユニットが配設されている。このようなプリンタ部９１により、給紙トレイ９４に収容された記録用紙が、不図示の搬送ローラ等の搬送手段によりプリンタ部９１内の搬送路へ給送され、該搬送路中において記録ユニットにより所望の画像が記録された後、排紙トレイ９５へ排出されて画像記録が行われる。
【０００４】
上記インクジェット記録ヘッドには、別途設けられたインクカートリッジからチューブ等の管路を通じてインクが供給されるようになっており、画像記録によりインクを消費すれば、該インクカートリッジを交換できるようになっている。このようなインクカートリッジは、上記排紙トレイ９５の側方の装置筐体内に配設されており、装置筐体の正面パネル又はスキャナ部９２が開閉して装置筐体の内部にアクセスし、インクカートリッジ交換が可能となっている。
【０００５】
また、スキャナ部９２は、所謂フラットベッドスキャナとして構成されており、インクジェット記録装置９０の天板として開閉自在に設けられた原稿カバー９６の下側に、プラテンガラス及び画像読取キャリッジ（不図示）が設けられており、該画像読取キャリッジが所定方向に走査されて、プラテンガラス上に載置された原稿の画像を読み取るようになっている。
【０００６】
また、インクジェット記録装置９０の正面には、各種操作を行うための操作パネル９７が設けられており、また、操作パネル９７の下方には、外部記録メディアである各種小型メモリカードを装填可能なスロット部９８が設けられている。
【０００７】
上記インクジェット記録装置９０のプリンタ部９１のように、記録面がほぼ水平となる姿勢で記録用紙を給紙トレイ９４又は排紙トレイ９５で保持するものでは、図に示すように、幅及び奥行きが厚み（高さ）より大きい扁平薄箱状の装置筐体を、厚みの延びる方向が横方向となるように設置する横置き型となる。しかし、横置き型のインクジェット記録装置は設置のための床面積が大きいので、設置スペースを小さくするために、装置筐体の厚みの延びる方向を縦方向とした縦置き型のインクジェット記録装置が提案されている（例えば特許文献１参照）。
【０００８】
【特許文献１】特開２００３−１２７４８４号公報
【発明の開示】
【発明が解決しようとする課題】
【０００９】
上記インクジェット記録装置９０では、インクカートリッジの交換を装置の正面側から行えるようになっており、さらに、その他の操作パネル９７やスロット部９８のような使用者が操作を行うものが、装置の正面側に集中して配置されている。また、インクカートリッジが装着されたカートリッジ装着部からインク漏れが発生する可能性を考慮すると、カートリッジ装着部は装置底面付近に設けることが好適である。
【００１０】
しかし、インクジェット記録装置を縦置き型とすると、装置の設置面積が小さくなるという利点がある一方、装置の横断面積も小さくなるので、カートリッジ装着部を装置の底面側に設けることが難しくなり、また、装置の上面に操作パネル９７等の操作部材をすべて配置することも難しくなる。さらに、これらの部材を装置の上面に集中させると装置の安定性が悪くなるという問題もある。また、インクジェット記録装置にスキャナ機能等を併有させた複合機とする場合に、装置の正面側にスキャナ部等が配置されると、正面側から装置筐体の内部にアクセスすることが難しく、また、操作部材を配置可能なスペースも小さくなる。このように、縦置き型のインクジェット記録装置を小型化・薄型化するほど、インクカートリッジや操作部材等を配置するスペースが小さくなるという問題がある。
【００１１】
本発明は、かかる課題に鑑みてなされたものであり、装置筐体内で被記録媒体を搬送し、該被記録媒体に画像を記録する縦置き型のインクジェット記録装置において、カートリッジ装着部等の構成部材を効率よく配置して、装置の小型化・薄型化を実現できる手段を提供することを目的とする。
【課題を解決するための手段】
【００１２】
本発明に係るインクジェット記録装置は、扁平薄箱状であって、その厚みの延びる方向を縦方向として設置される縦置き型の装置筐体と、上記装置筐体内に形成された搬送路に沿って被記録媒体を搬送する搬送機構と、上記搬送路において被記録媒体にインクを吐出しながら走査される記録ヘッドと、上記記録ヘッドに管路を通じて供給するインクを貯蔵するインクカートリッジと、上記装置筐体の側面に、上記インクカートリッジを側方へ抜き差し可能に設けられたカートリッジ装着部とを具備してなるものである。縦置き型のインクジェット記録装置において、カートリッジ装着部を装置筐体の側面に配置することにより、インクカートリッジ交換の操作性を良好とし、且つ装置の小型化・薄型化が実現される。また、装置筐体の上面及び正面に他の操作部材を配置するためのスペースが空く。
【００１３】
また、本発明は、上記インクジェット記録装置において、上記カートリッジ装着部は、少なくとも２色以上のインクカートリッジをそれぞれ装着可能に縦方向に列設されたものである。例えば、シアン・マゼンダ・イエロー・ブラックの４色インクによりフルカラー印刷が可能なインクジェット記録装置において、各色のカートリッジ装着部が縦方向に列設されることにより、装置筐体の厚みを薄くして装置の薄型化が実現される。
【００１４】
また、本発明は、上記インクジェット記録装置において、上記カートリッジ装着部は、上記装置筐体の右側面又は左側面のいずれか一方に設けられたものである。これにより、装置の右側又は左側の一方からすべてのインクカートリッジの交換作業を行うことができるので、操作性が向上する。
【００１５】
また、本発明は、上記インクジェット記録装置において、上記カートリッジ装着部は、装着すべき各インクカートリッジに貯蔵されたインク色が最も淡いものを最も上側として、インク色が濃くなる順に順次下側へ配置されたものである。これにより、仮に上側のインクカートリッジやカートリッジ装着部からインク漏れが発生し、その下側のインクカートリッジから供給されるインクへ混色したとしても、記録画像に与える影響が少ない。
【００１６】
また、本発明は、上記インクジェット記録装置において、上記カートリッジ装着部は、上記記録ヘッドより上側に配置されたものである。これにより、縦置き型のインクジェット記録装置において、装置筐体の幅を小さくして装置の小型化を実現できる。
【００１７】
また、本発明は、上記インクジェット記録装置において、上記カートリッジ装着部は、外部記録メディアを装着するためのメディア装着部より下側に配置されたものである。これにより、仮にインクカートリッジやカートリッジ装着部からインク漏れが発生したとしても、メディア装着部や外部記録メディアを汚染することがない。
【００１８】
また、本発明は、上記インクジェット記録装置において、上記カートリッジ装着部と上記メディア装着部とは、上記装置筐体の同一側面に配置されたものである。これにより、装置の右側又は左側の一方から、インクカートリッジの交換作業及びメディアの着脱作業を行うことができるので、操作性が向上する。
【００１９】
また、本発明は、上記インクジェット記録装置において、上記装置筐体の正面側に画像読取りを行うスキャナ部が配設されたものである。該スキャナ部により装置の正面側に操作部材等を設けるスペースが小さくなるので、前述した作用効果が顕著に発揮される。
【発明の効果】
【００２０】
このように、本発明に係るインクジェット記録装置によれば、カートリッジ装着部等の構成部材を装置筐体の側面に効率よく配置することにより、装置の小型化・薄型化を実現するとともに操作性を向上することができる。
【発明を実施するための最良の形態】
【００２１】
以下、適宜図面を参照して本発明の実施形態を説明する。
図１は、本発明の実施の形態に係る複合機１（インクジェット記録装置）の外観構成を示すものである。本複合機１は、背面側にプリンタ部２を、正面側にスキャナ部３を一体的に備えた多機能装置（ＭＦＤ：Multi Function Device）であり、プリンタ機能とスキャナ機能とを併有するものである。なお、本実施の形態では示していないが、本複合機１にさらに通信部を備えてファクシミリ機能等を有するものとしてもよい。複合機１は、主に不図示のコンピュータと接続されて、プリンタ部２が、該コンピュータから送信された画像データや文書データに基づいて、記録用紙に画像や文書を記録し、スキャナ部３が、各種原稿の画像データを読み取って画像データに変換し、該画像データをコンピュータ等に出力するものであるが、複合機１単独で、デジタルカメラ等の外部機器と接続されてデジタルカメラ等から出力される画像データを記録用紙に記録したり、小型メモリカード等の各種記録媒体を装着して、該記録媒体に記録された画像データ等を記録用紙に記録することが可能である。
【００２２】
図に示すように、複合機１のプリンタ筐体２０（装置筐体）は、その幅Ｗ及び高さＴが、画像記録が可能な最大幅の記録用紙、例えばＡ４サイズの記録用紙に対応しており、該記録用紙を収容でき且つ装置内を搬送可能なように、Ａ４サイズより幅Ｗ及び高さＴが幾分大きいものである。これに対し、奥行きＤは、幅Ｗ及び高さＴのいずれよりも小さく、プリンタ筐体２０の全体形状は扁平薄箱状である。本複合機１は、このようなプリンタ筐体２０が、厚みの延びる方向、すなわちプリンタ筐体２０の側面の長尺方向を縦方向（ｚ軸方向）として設置される縦置き型のものである。このように、複合機１を縦置き型とすることにより、複合機１の小型化及び薄型化が実現され、複合機１を設置するための床面積が小さくなるとともに、可搬性が向上する。
【００２３】
上記プリンタ筐体２０の背面側には不図示の記録用紙収容部２１が形成されており、また、プリンタ筐体２０の上面には排紙口２２が上方へ向かって開口されている。詳細については後述するが、記録用紙収容部２１から排紙口２２へは、搬送路２３が形成されており、該搬送路２３に沿って搬送機構４０により搬送されている記録用紙にインクジェット記録ヘッド２４が画像記録を行い、画像記録済みの記録用紙が排紙口２２から上方へ排出されるようになっている。
【００２４】
プリンタ筐体２０の上面であって上記排紙口２２の背面側には、本複合機１を操作するための操作パネル４が配設されている。操作パネル４は複合機１の各種設定等を行うための各種操作ボタンや液晶ディスプレイ等から構成されており、複合機１は、該操作パネル４からの操作指示によっても、コンピュータに接続されて該コンピュータからプリンタドライバ又はスキャナドライバを介して送信される指示によっても動作するようになっている。また、プリンタ筐体２０の上面は正面側へ向かって下方へ傾斜しており、上記操作パネル４も該傾斜に対応して配設されている。これにより、操作パネル４の各種操作ボタンやディスプレイが正面側及び上面側のいずれの方向からも視認して操作できるので、複合機１を卓上又は床上のいずれに設置しても、視認性や操作性がよいという利点がある。
【００２５】
また、プリンタ筐体２０の側面には、外部記録メディアである各種小型メモリカードを装着可能なメディア装着部５が設けられており、図１に示すように、使用しない際には開閉自在の扉により開口が封止されてゴミ等の異物の進入が防止されている。図２に示すように、メディア装着部５の扉を開けると、プリンタ筐体２０の側面に各スロット５ａ，５ｂ，５ｃが露出される。これにより、各小型メモリカードを各スロット５ａ，５ｂ，５ｃに対して側方から抜き差しできるようになる。なお、図２においてはメディア装着部５及びカートリッジ装着部６を閉止する扉を説明の便宜上省略している。
【００２６】
上記各スロット５ａ，５ｂ，５ｃは、例えば、ＳＤメモリカードやコンパクトフラッシュ（登録商標）、スマートメディア（登録商標）、メモリスティック（登録商標）と呼ばれる異なる規格の小型メモリカードを複合機１とデータの送受信可能に接続するためのものであり、３種の規格の小型メモリカードに対応した各スロット５ａ，５ｂ，５ｃが、それぞれ側面に開口して縦方向に列設されている。小型メモリカードには、例えばデジタルカメラで撮影された静止画像データやデジタルビデオカメラで撮影された動画像データが記録されており、該小型メモリカードを規格に応じてスロット５ａ，５ｂ，５ｃのいずれかに装着することにより、複合機１は、該小型メモリカードに記録された画像データを読み出して、任意の画像をプリンタ部２により記録用紙に記録させることが可能となる。なお、メディア装着部５のスロット数は増減可能である。
【００２７】
さらに、上記メディア装着部５が設けられた側面と同じプリンタ筐体２０の側面には、シアン（Ｃ）・マゼンダ（Ｍ）・イエロー（Ｙ）・ブラック（Ｋ）の各色インクのインクカートリッジが装填されるカートリッジ装着部６が設けられており、図１に示すように、上記メディア装着部５と同様に、インクカートリッジの交換を行わない場合には、開閉自在の扉により開口が封止されてゴミ等の異物の進入が防止されている。図２に示すように、カートリッジ装着部６の扉（不図示）を開けると、各インクカートリッジ用に４つのカートリッジ装着部６ｙ，６ｍ，６ｃ，６ｋの開口が露出される。これら各カートリッジ装着部６ｙ，６ｍ，６ｃ，６ｋに対して各インクカートリッジを側方から抜き差ししてインクカートリッジ交換を行う。
【００２８】
上記各カートリッジ装着部６ｙ，６ｍ，６ｃ，６ｋは縦方向に列設されており、シアン・マゼンダ・イエロー・ブラックの各色インクのうち、最も淡いイエローのインクが貯蔵されたインクカートリッジ（不図示）が装着されるカートリッジ装着部６ｙを最も上側として、インク色が濃くなる順に、すなわちマゼンダ・シアン・ブラックのインクが貯蔵されたインクカートリッジが装着されるカートリッジ装着部６ｍ，６ｃ，６ｋの順に、順次下側へ一列に配置されている。
【００２９】
このように、縦置き型の複合機１において、カートリッジ装着部６をプリンタ筐体２０の側面に配置し、ＣＭＹＫの各色インクカートリッジに対応した各カートリッジ装着部６ｙ，６ｍ，６ｃ，６ｋが縦方向に列設されることにより、インクカートリッジ交換の操作性を良好とし、且つ、プリンタ筐体２０の厚みを薄くして複合機１の小型化・薄型化が実現される。また、プリンタ筐体２０の上面及び正面に、スキャナ部３や操作パネル４等の他の操作部材を配置するためのスペースが空く。また、各カートリッジ装着部６ｙ，６ｍ，６ｃ，６ｋはすべてプリンタ筐体２０の同一側面に配置されており、さらに、これらカートリッジ装着部６ｙ，６ｍ，６ｃ，６ｋと上記メディア装着部５とが、プリンタ筐体２０の同一側面に配置されているので、複合機１の一方の側面において、すべてのインクカートリッジの交換作業及びメディアの着脱作業を行うことができ、複合機１の操作性が向上する。なお、本実施の形態においては、複合機１の左側面にメディア装着部５及びカートリッジ装着部６を配置しているが、すべて右側面に配置することとしても同様の効果が得られることは当然である。
【００３０】
また、図１及び図２に示すように、プリンタ筐体２０の上部には、上記操作パネル４と干渉しないようにＵ字状に形成された把手７が、プリンタ筐体２０の上面に倒伏又は起立するように揺動可能に設けられている。該把手７は、複合機１を使用する際には、図に示すように、上面から起立する姿勢となって、装置を持ち運ぶ際の持ち手となり、不使用の際には、上面へ倒伏するように揺動されて排紙口２２を閉塞し、ゴミや埃等の異物が装置内部に進入することを防止する。
【００３１】
スキャナ部３は、所謂フラットベッドスキャナとして構成されている。図に示すように、スキャナ部３のスキャナ筐体３０は、その幅及び高さが、画像読取りが可能な最大原稿、例えばＡ４サイズの原稿に対応して、Ａ４サイズより幅及び高さが幾分大きく、これに対し、厚み（奥行き）は、幅及び高さのいずれよりも小さく、スキャナ筐体３０の全体形状は扁平薄箱状である。スキャナ部３の読取面は、スキャナ筐体３０の一面として構成されており、図には表れていないが、上記プリンタ筐体２０の正面側の外周面と対向している。また、スキャナ筐体３０の下端側は上記プリンタ筐体２０に枢着されており、スキャナ筐体３０の上端側が正面側へ開閉可能となっている。
【００３２】
このようなスキャナ部３は、使用しない場合には、図に示すように、プリンタ筐体２０の厚み方向とスキャナ筐体３０の厚み方向とを同方向として、装置全体の外形が扁平薄箱状となり、該装置全体の厚みの延びる方向が縦方向となるように設置され、複合機１全体として縦置き型となっている。また、スキャナ部３を使用する際には、スキャナ筐体３０の上端部に形成された掴持部３１を掴んでスキャナ筐体３０を正面側へ傾斜させ、読取面を構成するプラテンガラスに所望の原稿を位置せしめて、該原稿の画像をイメージセンサで読み取るようになっている。
【００３３】
図３は、複合機１の内部構成を示すものである。図に示すように、プリンタ部２は、上記プリンタ筐体２０に内包されるようにして、記録用紙収容部２１、搬送路２３、インクジェット記録ヘッド２４、プラテン２５、電装部品２６、排紙スタック２７、搬送機構４０等を具備する。
【００３４】
記録用紙収容部２１は、被記録媒体である記録用紙を貯蔵して搬送路２３へ給送するためのものであり、Ａ４サイズ以下の、Ｂ５サイズ、はがきサイズ等の各種サイズの記録用紙が収容可能である。詳細には、記録用紙収容部２１は、プリンタ筐体２０の背面側に凹設された空間を有し、該空間は、プリンタ筐体２０の内部に設けられた区画板４１と、プリンタ筐体２０の背面を構成する蓋４２とによって形成されている。蓋４２は、図に示すように、装置背面側に傾動可能に設けられており、該蓋４２を傾動して記録用紙収容部２１を開放し、所望の記録用紙を装填できるようになっている。記録用紙収容部２１に収容された複数枚の記録用紙Ｐは、図に示すように、記録面を装置内部側へ向けた立位姿勢で保持される。
【００３５】
図に示すように、記録用紙収容部２１の下部は搬送路２３へ続いており、区画板４１の下部には、記録用紙収容部２１に保持された記録用紙Ｐを１枚ずつ分離して搬送路２３へ供給するための給紙ローラ４３が設けられている。該給紙ローラ４３は、複数のギアが噛合されてなる不図示の駆動伝達機構により、モータ（不図示）の駆動力が伝達されて回転するようになっている。一方、記録用紙収容部２１の下部には、該給紙ローラ４３に対向するようにして、記録用紙Ｐの下端部を給紙位置に保持するガイド４４が配設されている。該ガイド４４は、バネ等（不図示）により給紙ローラ４３側へ付勢されて、記録用紙Ｐを立位姿勢で給紙ローラ４３へ圧接するようになっている。したがって、記録用紙Ｐと圧接した状態で給紙ローラ４３が回転することにより、給紙ローラ４３との摩擦力により記録用紙Ｐが下方へ繰り出されて搬送路２３へ給送される。
【００３６】
なお、本実施の形態では、記録用紙収容部２１をプリンタ筐体２０内に設けているが、プリンタ筐体２０の外側の背面に沿って設けられたいわゆる給紙カセットとしてもよい。その際、給紙カセットが記録用紙を立位姿勢のまま搬送路２３へ給送することとしても、使用の際に給紙カセットを若干傾斜させるようにしてもよい。
【００３７】
図３に示すように、搬送路２３は、上記記録用紙収容部２１の下部から下方へ向かって形成され、プリンタ筐体２０の底部付近で反転した後、上方へ延びてプリンタ筐体２０の上面に形成された排紙口２２へ通じている。したがって、記録用紙収容部２１から給送された記録用紙Ｐは、搬送路２３により立位姿勢で下方へ搬送された後、Ｕターンするように反転して再び立位姿勢となり、上方へ搬送されて排紙口２２から排出されることとなる。このように、搬送路２３をプリンタ筐体２０の厚み方向に沿ったＵ字状のパスとして、記録用紙Ｐを立位姿勢で搬送することにより、プリンタ筐体２０の厚みを薄くして複合機１を小型化するとともに、複合機１の設置に必要な床面積を小さくすることができる。なお、本実施の形態では、排紙口２２をプリンタ筐体２０の上面に形成して搬送路２３のパスをＵ字状としたが、本発明において搬送路のパスはＵ字状に限定されず、例えば、排紙口をプリンタ筐体２０の正面に形成してＬ字状のパスとしてもよい。
【００３８】
搬送路２３は、インクジェット記録ヘッド２４及びプラテン２５が配設されている箇所以外の主な箇所は、所定間隔で対向する外側ガイド面と内側ガイド面とから構成されている。このような外側ガイド面及び内側ガイド面は、例えばガイド部材をプリンタ筐体２０内に適宜固定することとしても、外側ガイド面をプリンタ筐体２０と一体に形成するようにしてもよい。また、図には示していないが、搬送路２３が湾曲している箇所等に、搬送コロを適宜配設すれば、ガイド面に接触する記録用紙Ｐの搬送が円滑となる。
【００３９】
また、図に示すように、Ｕ字状に形成された搬送路２３の最下部、すなわち搬送路２３がＵターンする箇所に、インクジェット記録ヘッド２４が設けられている。該インクジェット記録ヘッド２４は、搬送路２３の内側において、その下面から下方へ向かってインク滴を吐出可能な姿勢で搬送路２３の幅方向、すなわち図１のｙ軸方向に走査可能に配設されている。一方、該インクジェット記録ヘッド２４の下方となる搬送路２３の外側に、プラテン２５が配設されている。
【００４０】
上記インクジェット記録ヘッド２４は、プリンタ筐体２０内に設置されたインクカートリッジ（不図示）からチューブ等の管路を通じて供給されるシアン（Ｃ）・マゼンダ（Ｍ）・イエロー（Ｙ）・ブラック（Ｋ）の各色インクを吐出しながら走査されることにより、プラテン２５上を搬送される記録用紙Ｐへ画像記録を行うものであり、図には示していないが、搬送路２３の内側において、搬送路２３の幅方向に延設されたガイド部材に摺動自在に設けられた走査キャリッジに搭載されており、該走査キャリッジがベルト駆動機構等によりガイド部材に沿って摺動されることにより、搬送路２３の幅方向を主走査方向として走査可能となっている。
【００４１】
詳細には、図４に示すように、インクジェット記録ヘッド２４は、その下面にインク吐出口７０ａが開口するようにして、ＣＭＹＫの各カラーインク毎のノズル７０が記録用紙の搬送方向に列設されている。なお、各インク吐出口７０ａの搬送方向のピッチや数は、記録画像の解像度等を考慮して適宜設定されるものであり、また、カラーインクの種類数に応じてインク吐出口７０ａの列数を増減することが可能である。
【００４２】
図に示すように、ノズル７０の上端側には、各カラーインク毎の複数のノズル７０に渡ってマニホールド７１が形成されている。該マニホールド７１は、列設されたノズル７０の一端側に形成された供給管７２と、各ノズル７０の上端に渡って形成されたマニホールド室７３とから構成されており、供給管７２から供給されたインクをマニホールド室７３を通じて各ノズル７０に分配するようになっている。マニホールド７１により分配されたインクを各ノズル７０がインク吐出口７０ａからインク滴として吐出する機構は、例えばノズル７０の側壁を圧電材料で構成して、該圧電材料の変形によりインク滴を噴出させるものや、その他の公知の機構を採用することができる。
【００４３】
さらに、上記マニホールド７１の上側にはバッファタンク７４が配設されている。該バッファタンク７４は、上記ノズル７０及びマニホールド７１と同様にＣＭＹＫの各カラーインク毎に設けられており、各色のインクカートリッジ６０ｙ，６０ｍ，６０ｃ，６０ｋからサブインクタンク６１、チューブ６２を通じてインク供給口７５インクが供給されるものである。このバッファタンク７４に一旦インクが貯留されることにより、チューブ６２等で発生した気泡を捕捉することができ、ノズル７０に気泡が進入することが防止される。なお、バッファタンク７４内で捕捉された気泡は、気泡排出口７６から不図示のポンプ機構により吸引除去される。
【００４４】
さらに、バッファタンク７４は、上記供給管７２を通じて上記マニホールド室７３と連通しており、これにより、各インクカートリッジ６０ｙ，６０ｍ，６０ｃ，６０ｋから供給された各カラーインクがバッファタンク７４、マニホールド７１を介してノズル７０へ流れるように流路が構成されている。このようにして、インクジェット記録ヘッド２４は、ＣＭＹＫの各カラーインクを、インク吐出口７０ａからインク滴として吐出できるようになっている。
【００４５】
各インクカートリッジ６０ｙ，６０ｍ，６０ｃ，６０ｋは、直方体の外形をなす中空のカートリッジ内にインク収容室及び空気室（不図示）が形成されてなり、各カートリッジ装着部６ｙ，６ｍ，６ｃ，６ｋへの装着時に奥側となる側面に、シリコン等のゴム状部材からなるシール部６３が、該インク収容室と外部との界壁として設けられている。
【００４６】
上記各インクカートリッジ６０ｙ，６０ｍ，６０ｃ，６０ｋが装着される各カートリッジ装着部６ｙ，６ｍ，６ｃ，６ｋは、不図示のプリンタ筐体２０内において、各インクカートリッジ６０ｙ，６０ｍ，６０ｃ，６０ｋが収容可能なように仕切板６４によって形成された空間をそれぞれ有し、プリンタ筐体２０の側面となる該空間の一方側の側面が開口している（図２参照）。
【００４７】
一方、各カートリッジ装着部６ｙ，６ｍ，６ｃ，６ｋの各空間の奥側には、装着される上記各インクカートリッジ６０ｙ，６０ｍ，６０ｃ，６０ｋのシール部６３に対応して中空のインク針６５がそれぞれ設けられている。各インク針６５は、その先端が各カートリッジ装着部６ｙ，６ｍ，６ｃ，６ｋの空間内に突出するようにして該空間の奥側から開口側へ向かって設けられており、各インク針６５の基端側は各インク毎のサブインクタンク６１とそれぞれ連結されている。該サブインクタンク６１は、各インクカートリッジ６０ｙ，６０ｍ，６０ｃ，６０ｋから供給された各色インクをそれぞれ一旦保持して、インク内のゴミ等を捕捉するために設けられたものであり、各サブインクタンク６１と上記インクジェット記録ヘッド２４とは、可撓性のチューブ６２によりそれぞれ連結されている。
【００４８】
上記各インクカートリッジ６０ｙ，６０ｍ，６０ｃ，６０ｋが、各々対応する各カートリッジ装着部６ｙ，６ｍ，６ｃ，６ｋの空間に挿入されると、各インクカートリッジ６０ｙ，６０ｍ，６０ｃ，６０ｋの奥側の側面に設けられたシール部６３がインク針６５に当接する。さらに、各インクカートリッジ６０ｙ，６０ｍ，６０ｃ，６０ｋが押し込まれると、図に示すように、インク針６５がシール部６３を貫通して、その先端側がインク室（不図示）に到達する。これにより、該インク針６５を介して各インクカートリッジ６０ｙ，６０ｍ，６０ｃ，６０ｋと各サブインクタンク６１が連結される。そして、該サブインクタンク６１から各チューブ６２を通じて上記インクジェット記録ヘッド２４に各色インクが供給されるようになっている。なお、インクジェット記録ヘッド２４や各インクカートリッジ６０ｙ，６０ｍ，６０ｃ，６０ｋからのインク供給経路の構成は一例であり、本発明において、これらを他の公知のインクジェット記録ヘッドやインク供給経路の構成に変更できることは勿論である。
【００４９】
図３に示すように、プラテン２５は、搬送路２３を搬送される記録用紙Ｐを、上記インクジェット記録ヘッド２４から所定のヘッドギャップの位置に水平に支持するものであり、インクジェット記録ヘッド２４の画像記録範囲に渡って記録用紙Ｐを支持する水平面を有するものである。また、図には示していないが、インクジェット記録ヘッド２４の画像記録範囲外となるプラテン２５の側方には、インクの増粘防止や異物の除去のためにインクジェット記録ヘッド２４がインクの空吐出をする際に、該インクを溜め受けるための廃インクトレイや、インクジェット記録ヘッド２４から異物や気泡等を吸引除去するためのパージ機構が適宜設けられている。
【００５０】
また、搬送路２３には、それぞれ一対の搬送ローラ４５と押さえローラ４６、搬送ローラ４７と拍車ローラ４８、及び排紙ローラ４９と押さえローラ５０等から構成される搬送機構４０が設けられている。
【００５１】
搬送ローラ４５及び押さえローラ４６は、上記インクジェット記録ヘッド２４の上流側において搬送路２３の対向位置にそれぞれ設けられており、搬送路２３を搬送されている記録前の記録用紙Ｐを狭持してプラテン２５上へ搬送する。一方、搬送ローラ４７及び拍車ローラ４８は、上記インクジェット記録ヘッド２４の下流側において搬送路２３の対向位置にそれぞれ設けられており、記録済みの記録用紙Ｐを狭持して搬送する。さらに、搬送路２３の下流側には、排紙ローラ４９及び押さえローラ５０が搬送路２３の対向位置にそれぞれ設けられており、画像記録が行われた記録用紙Ｐを狭持して、該記録用紙Ｐの先端が排紙口２２から突出するまで搬送する。なお、図には示していないが、これら搬送ローラ４５，４７及び排紙ローラ４９には、不図示のモータから駆動力が伝達されて、回転駆動するようになっている。
【００５２】
押さえローラ４６，５０は搬送ローラ４５又は排紙ローラ４９に所定の押圧力で押圧するように付勢されて回転自在に設けられており、搬送ローラ４５又は排紙ローラ４９との間に記録用紙Ｐが進入した場合に該記録用紙Ｐの厚み分だけ退避して該記録用紙Ｐを搬送ローラ４５又は排紙ローラ４９とともに狭持し、搬送ローラ４５又は排紙ローラ４９の回転力を確実に記録用紙Ｐへ伝達するためのものである。拍車ローラ４８も搬送ローラ４７に対して同様に設けられたものであるが、記録済みの記録用紙Ｐの記録面と圧接するので、記録用紙Ｐに記録された画像を劣化させないようにローラ面が拍車状に凹凸したものとなっている。
【００５３】
したがって、記録用紙収容部２１から搬送路２３へ給送された記録用紙Ｐは、搬送ローラ４５及び押さえローラ４６に狭持されてプラテン２５上に搬送され、記録用紙Ｐがプラテン２５上に到達すると、所定の改行幅でプラテン２５上を間欠して搬送され、その改行毎にインクジェット記録ヘッド２４が走査されて、記録用紙Ｐの先端側から画像記録が行われる。画像記録が行われた記録用紙Ｐの先端側は、その後、搬送ローラ４７及び拍車ローラ４８に狭持され、該記録用紙Ｐは先端側を搬送ローラ４７及び拍車ローラ４８に、後端側を搬送ローラ４５及び押さえローラ４６に狭持された状態で所定の改行幅で間欠して搬送され、同様にインクジェット記録ヘッド２４により画像記録が行われる。さらに記録用紙Ｐが搬送されると、記録用紙Ｐの後端が搬送ローラ４５及び押さえローラ４６を通過して、これらによる狭持が開放され、搬送ローラ４７及び拍車ローラ４８により所定の改行幅で間欠して搬送され、同様にインクジェット記録ヘッド２４により画像記録が行われる。記録用紙Ｐの所定領域に画像記録を行った後は、搬送ローラ４７及び排紙ローラ４９が連続的に回転駆動され、搬送ローラ４７と拍車ローラ４８並びに排紙ローラ４９と押さえローラ５０により狭持された記録用紙Ｐは搬送路２３を立位姿勢で上方へ搬送されて、その先端が排紙口２２から突出する。
【００５４】
また、上記排紙ローラ４９及び押さえローラ５０の下流側には排紙スタック２７が設けられている。排紙スタック２７は、記録済みの記録用紙Ｐを、その先端側の一部を排紙口２２から突出させた状態で貯蔵するためのものであり、プリンタ筐体２０の内部に設けられた区画板５１によって、複数枚の記録用紙Ｐを立位姿勢で保持可能な空間として形成されている。これにより、画像記録を終えた記録用紙Ｐはその先端側の一部を排紙口２２から突出させた状態で順次排紙スタック２７に貯蔵される。
【００５５】
一方、スキャナ部３は、図３に示すように、スキャナ筐体３０及びプラテンガラス３２に内包されるようにして、イメージスキャナ３３、ガイドシャフト３４、走査キャリッジ３５等を具備する。
【００５６】
プラテンガラス３２は、画像読取りを行う原稿が密着される透明部材であり、画像読取りを行う原稿の最大サイズ、ここではＡ４サイズより若干大きい矩形平板状のものである。前述したように、扁平薄箱状のスキャナ筐体３０もＡ４サイズより大きなものであり、プラテンガラス３２は、スキャナ筐体３０がプリンタ筐体２０の外周面と対向する側の面に設けられて読取面３２ａを構成するとともに、スキャナ筐体３０の外周面の一部を構成している。
【００５７】
スキャナ筐体３０及びプラテンガラス３２により形成される内部空間には、該プラテンガラス３２に対向してイメージスキャナ３３が設けられている。イメージスキャナ３３は所謂ＣＩＳ（Contact Image Sensor）であり、プラテンガラス３２の縦方向（図１のｚ軸方向）に延設されてプラテンガラス３２の幅方向（図１のｙ軸方向）に走査可能となっている。詳細には、スキャナ筐体３０内において幅方向に延設されたガイドシャフト３４に、走査キャリッジ３５がガイドシャフト３４の軸方向へ摺動自在に設けられており、該走査キャリッジ３５に上記イメージスキャナ３３が搭載されている。該走査キャリッジ３５がベルト駆動機構等によってガイドシャフト３４に沿って摺動されることにより、イメージスキャナ３３がプラテンガラス３２の幅方向に走査可能となっている。
【００５８】
また、スキャナ筐体３０の下端部の両端付近には、その幅方向を軸方向として軸３６がそれぞれ設けられており、該軸３６がプリンタ筐体２０の軸受け部（不図示）に支持されて、スキャナ筐体３０が、軸３６を中心としてプリンタ筐体２０の正面側へ開閉可能となっている。
【００５９】
なお、スキャナ部３の構成は一例であり、例えば、スキャナ部３のイメージセンサをＣＣＤ（Charge Coupled Device）を用いた縮小光学系のスキャナとすることも可能であるが、一般に、ＣＣＤよりＣＩＳの方が焦点深度が浅く、ＣＩＳを採用することによりスキャナ部３が薄型化されるので、複合機１を小型化・薄型化するには、これらを採用することが好適である。
【００６０】
本スキャナ部３のスキャナ筐体３０は、図に示したように、プラテンガラス３２により構成される読取面３２ａをプリンタ筐体２０の正面側の外周面に閉止する閉姿勢から、該読取面３２ａが開放側へ垂直面から所定角度だけ傾斜した傾斜姿勢Ｐ１、さらには、該読取面３２ａが水平面となる位置からスキャナ筐体３０の上端側が下方へ所定角度だけ傾斜した開放姿勢Ｐ２に開閉可能となっている。
【００６１】
スキャナ部３を使用しない場合、すなわち複合機１を使用しない場合やプリンタ部２のみ使用する場合には、図に示すように、スキャナ部３を閉姿勢とすることにより、縦置きされた複合機１の厚み方向のスペースを小さくして、オフィス空間等の省スペース化を図ることができる。また、プラテンガラス３２の読取面３２ａがプリンタ筐体２０の外周面により閉止されるので、該読取面３２ａに塵埃等が付着することが防止できる。
【００６２】
一方、スキャナ部３を使用する際にはスキャナ筐体３０を開くが、スキャナ筐体３０はプリンタ筐体２０の正面側に配設されているので、スキャナ筐体３０を開閉するために必要なスペースはプリンタ筐体２０の正面側、すなわち本複合機１の正面側に集中される。したがって、複合機１の背面側には、設置面以外のスペースが不要となるので、本複合機１を壁際等に設置する際に必要な設置スペースを小さくすることができる。
【００６３】
本スキャナ部３を使用する際には、画像読取りを行う原稿（被読取媒体）の厚み等に応じて、傾斜姿勢Ｐ１又は開放姿勢Ｐ２のいずれかにスキャナ筐体３０を開いて画像読取りを行う。スキャナ筐体３０を傾斜姿勢Ｐ１又は開放姿勢Ｐ２のいずれにするかは、原稿の厚みにより決定され、普通紙１枚のように薄い原稿を読み取る場合には傾斜姿勢Ｐ１とし、本や冊子のように分厚い原稿や重い原稿を読み取る場合には開放姿勢Ｐ２とする。なお、スキャナ筐体３０を一旦傾斜姿勢Ｐ１として原稿を読取面３２ａに位置せしめてから閉姿勢とした場合にも、スキャナ部３による画像読取りが可能である。
【００６４】
使用者は、スキャナ筐体３０の掴持部３１を掴んで、図に示した閉姿勢から正面側へスキャナ筐体３０を開くと、該スキャナ筐体３０は、傾斜姿勢Ｐ１となる所定角度で仮固定される。このようなスキャナ筐体３０の仮固定は、例えば、軸３６に径方向に出没可能に付勢されたピンを設け、プリンタ筐体２０の軸受け部に該ピンと所定角度で係合するピン受け部を形成することにより実現できるが、その他の周知且つ任意の仮固定機構を採用することができる。
【００６５】
これにより、スキャナ筐体３０の上端とプリンタ筐体２０の外周面との間に隙間が生じるので、使用者は、複合機１の上方から、該隙間へ原稿を挿入することにより、該原稿を傾斜した読取面３２ａ上に位置せしめることができる。読取面３２ａは開放側、すなわち正面側へ傾斜しているので、使用者は複合機１の正面側から原稿の先端を斜め下方へ落とし込むようにして、上記隙間へ原稿を挿入すれば、該原稿は自重により読取面３２ａに密着する。
【００６６】
なお、図には示していないが、上記読取面３２ａの下端には、幅方向に渡ってストッパが設けられており、前述したように、上記隙間から挿入された原稿は、自重により読取面３２ａに沿って滑り落ち、該原稿の先端がストッパに当接することにより、読取面３２ａの下端を基準として所定位置に固定される。このように、使用者は、スキャナ筐体３０をプリンタ筐体２０との隙間を覗き込んで原稿の位置決めを行う必要がなく、原稿の位置決め作業が容易である。また、該原稿は、自重により読取面３２ａに密着するので、読取面３２ａと原稿との間に浮き等が生じ難く、イメージスキャナ３３による画像読取り精度が向上する。このような傾斜姿勢Ｐ１で、イメージスキャナ３３を走査することにより、薄手の原稿の画像読取りを行う。
【００６７】
また、スキャナ筐体３０を正面側へ開ききると、開放姿勢Ｐ２となる。この開放姿勢Ｐ２で、本等の厚手の原稿を読取面３２ａ上に載置する。厚手の原稿は重量もあるが、開放姿勢Ｐ２ではスキャナ筐体３０の上端が床面に接触しているので、厚手の原稿を読取面３２ａ上に載置しても、縦置き型のプリンタ部２が不安定となることはない。また、開放姿勢Ｐ２では、読取面３２ａが複合機１の正面側を向くように傾斜しているので、複合機１の正面側から原稿を読取面３２ａ上の所定位置に位置せしめることが容易である。このような開放姿勢Ｐ２で、イメージスキャナ３３を走査することにより、厚手の原稿の画像読取りを行う。
【００６８】
なお、本実施の形態で示したスキャナ部３の開閉姿勢は一例であり、例えば、傾斜姿勢Ｐ１と開放姿勢Ｐ２との間でのみスキャナ筐体３０が開閉するようにしても、閉姿勢と開放姿勢Ｐ２との姿勢変化のみで、傾斜姿勢Ｐ１で仮固定されないようにスキャナ筐体３０が開閉されるようにしてもよい。
【００６９】
図５は、本複合機１の電装部品２６による制御部８の構成を示すブロック図である。図に示すように、ＣＰＵ（Central Processing Unit），ＲＯＭ（Read Only Memory），ＲＡＭ（Random Access Memory）で構成された中央処理部８０が、バス８１及びＡＳＩＣ（Application Specific Integrated Circuit）８２を介して、プリンタ部２やスキャナ部３の各種センサ及びモータ、操作パネル４、メディア装着部５等とデータ送受信可能に接続されている。また、本複合機１は、操作パネル４からの入力の他、コンピュータ（ＰＣ）８３と接続されて、該コンピュータ８３から送信された画像データや文書データに基づいて、記録用紙に画像や文書を記録することができる。そのために、コンピュータ８３とデータを送受信するためのインタフェース（Ｉ／Ｆ）も備えている。
【００７０】
本複合機１が、メディア装着部５に装着された小型メモリカード８４に記録された画像データから画像記録を行う場合は、中央処理部８０は、小型メモリカード８４に記録された画像データをメディア装着部５を介して読み込み、該画像データをＲＡＭに一時記憶する。ついで、予めＲＯＭに格納された制御プログラムに基づいて、ＲＡＭに一時記憶された画像データを操作パネル４の液晶ディスプレイにプレビュー表示する。そのプレビュー表示した画像のうち、使用者が選択して画像記録を指示した画像の画像データを印刷データに変換し、印刷処理プログラムに基づいてプリンタ部２の各モータや記録ヘッド等を駆動してプリンタ部２により画像記録を行う。なお、本実施の形態で示した制御部８の構成や、小型メモリカード８４から画像データを読み取って印刷する制御方法は一例であり、本発明に係るインクジェット記録装置の制御が本実施の形態に示した制御部８の構成や制御方法に限定されないことは当然である。
【００７１】
図６は、メディア装着部５、カートリッジ装着部６，上記インクジェット記録ヘッド２４、及び電装部品２６の複合機１における配置を示したものである。
図に示すように、カートリッジ装着部６は、インクジェット記録ヘッド２４の走査範囲より上側に配置されている。複合機１のプリンタ筐体２０の幅Ｗ（図１参照）は、画像記録が可能な最大サイズであるＡ４サイズの記録用紙に対応し、Ａ４サイズより大きなものである。また、インクジェット記録ヘッド２４の走査範囲も、必然的にＡ４サイズ幅より大きくなる。これに対し、さらにカートリッジ装着部６をインクジェット記録ヘッド２４の側方に配置するとすれば、プリンタ筐体２０の幅Ｗは、インクジェット記録ヘッド２４の走査範囲にカートリッジ装着部６の幅を加えた幅より大きくならざるを得ないが、カートリッジ装着部６をインクジェット記録ヘッド２４の走査範囲より上側に配置することにより、プリンタ筐体２０の幅Ｗを、インクジェット記録ヘッド２４の操作に必要な最小幅にまで小型化することができる。
【００７２】
また、上記カートリッジ装着部６は、上記メディア装着部５より下側に配置されている。前述したように、カートリッジ装着部６を構成する各色毎のカートリッジ装着部６ｙ，６ｍ，６ｃ，６ｋには、インクカートリッジ６０ｙ，６０ｍ，６０ｃ，６０ｋが装着されるが（図４参照）、このインクカートリッジ６０ｙ，６０ｍ，６０ｃ，６０ｋの着脱の際に、若干のインク漏れが発生するおそれがある。このようなインク漏れに対しては、一般に、カートリッジ装着部６ｙ，６ｍ，６ｃ，６ｋにインク吸収体を適宜設けて漏れ出たインクがプリンタ筐体２０の内部等へ滲入しないようしているが、インクカートリッジ交換における操作ミス等により、上記インク吸収体で吸収できない量のインク漏れが生ずる可能性は皆無ではない。このような不慮のインク漏れがカートリッジ装着部６に生じたとしても
、その上側に配置されたメディア装着部５や小型メモリカードが、カートリッジ装着部６から漏れ出たインクにより汚染されることがない。
【００７３】
また、各色毎のカートリッジ装着部６ｙ，６ｍ，６ｃ，６ｋは、ＣＭＹＫのうちでインク色が最も淡いイエローを貯蔵したインクカートリッジ６０ｙが装着されるカートリッジ装着部６ｙが最も上側に配置され、マゼンダ、シアン、ブラックとインク色が濃くなる順に、各色のインクカートリッジ６０ｍ，６０ｃ，６０ｋがそれぞれ装着されるカートリッジ装着部６ｍ，６ｃ，６ｋの順序で下側へ配置されている。したがって、前述したようなインク漏れが発生し、例えば最も淡いイエローのインクが、その下側のインクカートリッジ６０ｍ，６０ｃ，６０ｋから供給されるイエローより濃いマゼンダ、シアン、ブラックのインクへ混色したとしても、記録画像に与える影響が少ない。
【００７４】
また、上記カートリッジ装着部６がプリンタ筐体２０の側面に配置されることにより、インクカートリッジ交換の操作性を良好とし、且つ複合機１の小型化・薄型化が実現される。特に、本複合機１のように、プリンタ筐体２０の正面側にスキャナ部３が配設されることにより、プリンタ筐体２０の正面側に操作パネル４等を設けるスペースがない場合に、カートリッジ装着部６をプリンタ筐体２０の側面に配置すれば、プリンタ筐体２０の上面や正面に操作パネル４等の他の操作部材を配置するためのスペースが空くので、前述した作用効果が顕著に発揮される。
【００７５】
また、上記メディア装着部５と上記カートリッジ装着部６とが、プリンタ筐体２０の同一側面に配置されることにより、複合機１の側方のうち一方側から、インクカートリッジ６０ｙ，６０ｍ，６０ｃ，６０ｋの交換作業及び小型メモリカード８４の着脱作業を行うことができるので、操作性が向上する。また、複合機１の側方のうち他方、すなわち上記メディア装着部５及び上記カートリッジ装着部６が設けられていない側面を壁際に沿うようにして設置することができるので、オフィス空間等の省スペース化が実現できる。
【００７６】
また、ＣＭＹＫの各色毎の上記カートリッジ装着部６ｙ，６ｍ，６ｃ，６ｋが、プリンタ筐体２０のいずれか一方の側面に集中して配置されているので、前述と同様に、操作性が向上し、また、これらカートリッジ装着部６ｙ，６ｍ，６ｃ，６ｋがプリンタ筐体２０の縦方向に列設されることにより、プリンタ筐体２０の薄型化が実現される。
【図面の簡単な説明】
【００７７】
【図１】図１は、本発明の実施の形態に係る複合機１の外観構成を示す斜視図である。
【図２】図２は、複合機１の外観構成を示す左側面図である。
【図３】図３は、複合機１の内部構成を示す縦断面図である。
【図４】図４は、インクカートリッジ６０ｙ、６０ｍ、６０ｃ、６０ｋからインクジェット記録ヘッド２４へのインク供給経路を説明するための模式図である。
【図５】図５は、電装部品２６による制御部８の構成を示すブロック図である。
【図６】図６は、複合機１におけるメディア装着部５、カートリッジ装着部６、インクジェット記録ヘッド２４等の配置を示す正面図である。
【図７】図７は、従来のインクジェット記録装置９０の外観構成を示す斜視図である。
【符号の説明】
【００７８】
１・・・複合機（インクジェット記録装置）
２・・・プリンタ部
３・・・スキャナ部
５・・・メディア装着部
６，６ｙ，６ｍ，６ｃ，６ｋ・・・カートリッジ装着部
２０・・・プリンタ筐体（装置筐体）
２３・・・搬送路
２４・・・インクジェット記録ヘッド
４０・・・搬送機構
６０ｙ，６０ｍ，６０ｃ，６０ｋ・・・インクカートリッジ
６２・・・チューブ（管路）
８４・・・小型メモリカード（外部記録メディア）
【図１】
2006205655.tif 000003
【図２】
2006205655.tif 000004
【図３】
2006205655.tif 000005
【図４】
2006205655.tif 000006
【図５】
2006205655.tif 000007
【図６】
2006205655.tif 000008
【図７】
2006205655.tif 000009